(57)【要約】【課題】  垂直記録技術を使用してディスクドライブにおいて効果的に機能するのに必要な動作特性を有する前置増幅器回路を提供する。【解決手段】  ディスクドライブの読取ヘッドによって発生される電気信号のような電気信号を増幅するための増幅回路及び方法が提供される。本回路は、一対の交差結合した差動増幅器回路を包含している。各差動増幅器回路は非対称的であり、異なるトランジスタ型の２個の入力トランジスタを包含している。例えば、各差動増幅器回路の２個の入力トランジスタのうちの第一のものはバイポーラトランジスタとすることが可能であり且つ該２個の入力トランジスタのうちの第二のものは電界効果トランジスタとすることが可能である。非対称的差動増幅器回路を使用することにより、比較的広い動作周波数範囲が得られる。【選択図】      図１
2004229300.tif 000002
【特許請求の範囲】
【請求項１】
ディスクドライブ装置用の前置増幅器回路において、
トランジスタ型に関して非対称的であり且つ一対の入力と一対の出力とを具備している第一差動増幅器回路、
前記第一差動増幅器回路の一対の入力へ結合されている一対の入力と前記第一差動増幅器回路の一対の出力へ結合されている一対の出力とを具備しておりトランジスタ型に関して非対称的である第二差動増幅器回路、
を有していることを特徴とする前置増幅器回路。
【請求項２】
請求項１において、
前記第一差動増幅器回路が第一トランジスタ型の第一トランジスタと第二トランジスタ型の第二トランジスタとを有しており、前記第一及び第二トランジスタは前記第一差動増幅器回路の一対の入力へ結合している制御端子を具備しており、
前記第二差動増幅器回路は前記第一トランジスタ型の第三トランジスタと前記第二トランジスタ型の第四トランジスタとを有しており、前記第二及び第三トランジスタは前記第二差動増幅器回路の一対の入力へ結合している制御端子を具備している、
ことを特徴とする前置増幅器回路。
【請求項３】
請求項２において、前記第一及び第三トランジスタは電界効果トランジスタを有しており且つ前記第二及び第四トランジスタはバイポーラトランジスタを有していることを特徴とする前置増幅器回路。
【請求項４】
請求項２において、前記第一トランジスタのトランスコンダクタンスが前記第二トランジスタのトランスコンダクタンスと実質的に同一であることを特徴とする前置増幅器回路。
【請求項５】
請求項４において、前記第三トランジスタのトランスコンダクタンスが前記第四トランジスタのトランスコンダクタンスと実質的に同一であることを特徴とする前置増幅器回路。
【請求項６】
請求項５において、前記第一トランジスタのトランスコンダクタンスが前記第四トランジスタのトランスコンダクタンスと実質的に同一であり、且つ前記第二トランジスタのトランスコンダクタンスが前記第三トランジスタのトランスコンダクタンスと実質的に同一であることを特徴とする前置増幅器回路。
【請求項７】
請求項２において、更に、
前記第一差動増幅器回路へ結合されており前記第一差動増幅器回路の動作条件を設定するための第一バイアス回路、
前記第二差動増幅器回路へ結合されており前記第二差動増幅器回路の動作条件を設定するための第二バイアス回路、
を有していることを特徴とする前置増幅器回路。
【請求項８】
請求項７において、前記第一バイアス回路が前記第一トランジスタと共にカレントミラーを形成しており、且つ前記第二バイアス回路が前記第三トランジスタと共にカレントミラーを形成していることを特徴とする前置増幅器回路。
【請求項９】
請求項２において、更に、
前記第一差動増幅器回路の入力と前記第一トランジスタの制御端子との間に接続されている第一コンデンサ、
前記第二差動増幅器回路の入力と前記第三トランジスタの制御端子との間に接続されている第二コンデンサ、
を有していることを特徴とする前置増幅器回路。
【請求項１０】
請求項２において、更に、
前記第一及び第二トランジスタを介して通過する電流を吸い込むために前記第一及び第二トランジスタへ結合されている第一電流源、
前記第三及び第四トランジスタを介して通過する電流を吸い込むために前記第三及び第四トランジスタへ結合されている第二電流源、
を有していることを特徴とする前置増幅器回路。
【請求項１１】
請求項２において、更に、
前記第一及び第四トランジスタを介して通過する電流を供給するために前記第一及び第四トランジスタへ結合されている第一抵抗コンポーネント、
前記第二及び第三トランジスタを介して通過する電流を供給するために前記第二及び第三トランジスタへ結合されている第二抵抗コンポーネント、
を有していることを特徴とする前置増幅器回路。
【請求項１２】
請求項１１において、更に、
前記第一抵抗要素と前記第一及び第四トランジスタとの間に接続されておりその制御端子が基準電圧レベルへ結合されている第五トランジスタ、
前記第二抵抗要素と前記第二及び第三トランジスタとの間に接続されておりその制御端子が前記基準電圧レベルへ結合されている第六トランジスタ、
を有していることを特徴とする前置増幅器回路。
【請求項１３】
請求項１１において、更に、
所定の電流を供給するために前記第一及び第四トランジスタへ結合されている第一電流源、
所定の電流を供給するために前記第二及び第三トランジスタへ結合されている第二電流源、
を有していることを特徴とする前置増幅器回路。
【請求項１４】
請求項１において、数百キロヘルツにおける低コーナー周波数と少なくとも約１ＧＨｚの高コーナー周波数を有していることを特徴とする前置増幅器回路。
【請求項１５】
ディスクドライブにおいて、
データが格納される少なくとも１個のディスク、
前記少なくとも１個のディスクを回転させるために前記少なくとも１個のディスクへ動作接続されているスピンドルモータ及びそのための制御器、
前記少なくとも１個のディスクに近接して位置決めされる読取ヘッド、
前記読取ヘッドへ結合されており前記読取ヘッド上で受取られた信号を変換する読取チャンネル回路、
前記読取ヘッドと前記読取チャンネル回路との間に接続されている前置増幅器回路、
を有しており、前記前置増幅器回路が、
トランジスタ型に対して非対称的であり且つ前記少なくとも１個の読取ヘッドへ結合されている一対の入力と一対の出力とを具備している第一差動増幅器回路、
前記第一差動増幅器回路の一対の入力へ結合されている一対の入力と前記第一差動増幅器回路の一対の出力へ結合している一対の出力とを具備しておりトランジスタ型に関して非対称的である第二差動増幅器回路、
を有していることを特徴とするディスクドライブ。
【請求項１６】
請求項１５において、
前記第一差動増幅器回路が第一トランジスタ型の第一トランジスタと第二トランジスタ型の第二トランジスタとを有しており、前記第一及び第二トランジスタが前記第一差動増幅器回路の一対の入力へ結合している制御端子を具備しており、
前記第二差動増幅器回路が第一トランジスタ型の第三トランジスタと第二トランジスタ型の第四トランジスタとを有しており、前記第二及び第三トランジスタが前記第二差動増幅器回路の一対の入力へ結合している制御端子を具備している、
ことを特徴とするディスクドライブ装置。
【請求項１７】
請求項１６において、前記第一及び第三トランジスタが電界効果トランジスタを有しており且つ前記第二及び第四トランジスタがバイポーラトランジスタを有していることを特徴とするディスクドライブ装置。
【請求項１８】
請求項１６において、前記第一トランジスタのトランスコンダクタンスが前記第二トランジスタのトランスコンダクタンスと実質的に同一であることを特徴とするディスクドライブ装置。
【請求項１９】
請求項１８において、前記第三トランジスタのトランスコンダクタンスが前記第四トランジスタのトランスコンダクタンスと実質的に同一であることを特徴とするディスクドライブ装置。
【請求項２０】
請求項１９において、前記第一トランジスタのトランスコンダクタンスが前記第四トランジスタのトランスコンダクタンスと実質的に同一であり、且つ前記第二トランジスタのトランスコンダクタンスが前記第三トランジスタのトランスコンダクタンスと実質的に同一であることを特徴とするディスクドライブ装置。
【請求項２１】
請求項１６において、前記前置増幅器回路が、更に、
前記第一差動増幅器回路へ結合されており前記第一差動増幅器回路の動作条件を設定するための第一バイアス回路、
前記第二差動増幅器回路へ結合されており前記第二差動増幅器回路の動作条件を設定するための第二バイアス回路、
を有していることを特徴とするディスクドライブ装置。
【請求項２２】
請求項２１において、前記第一バイアス回路が前記第一トランジスタと共にカレントミラーを形成しており、且つ前記第二バイアス回路が前記第三トランジスタと共にカレントミラーを形成していることを特徴とするディスクドライブ装置。
【請求項２３】
請求項１６において、前記前置増幅器回路が、更に、
前記第一差動増幅器回路の入力と前記第一トランジスタの制御端子との間に接続されている第一コンデンサ、
前記第二差動増幅器回路の入力と前記第三トランジスタの制御端子との間に接続されている第二コンデンサ、
を有していることを特徴とするディスクドライブ装置。
【請求項２４】
請求項１６において、前記前置増幅器回路が、更に、
前記第一及び第二トランジスタを介して通過する電流を吸い込むために前記第一及び第二トランジスタへ結合されている第一電流源、
前記第三及び第四トランジスタを介して通過する電流を吸い込むために前記第三及び第四トランジスタへ結合されている第二電流源、
を有していることを特徴とするディスクドライブ装置。
【請求項２５】
請求項１６において、前記前置増幅器回路が、更に、
前記第一及び第四トランジスタを介して通過する電流を供給するために前記第一及び第四トランジスタへ結合されている第一抵抗コンポーネント、
前記第二及び第三トランジスタを介して通過する電流を供給するために前記第二及び第三トランジスタへ結合されている第二抵抗コンポーネント、
を有していることを特徴とするディスクドライブ装置。
【請求項２６】
請求項２５において、前記前置増幅器回路が、更に、
前記第一抵抗要素と前記第一及び第四トランジスタとの間に接続されておりその制御端子が基準電圧レベルへ結合されている第五トランジスタ、
前記第二抵抗要素と前記第二及び第三トランジスタとの間に接続されておりその制御端子が前記基準電圧レベルへ結合されている第六トランジスタ、
を有していることを特徴とするディスクドライブ装置。
【請求項２７】
請求項２５において、前記前置増幅器回路が、更に、
所定の電流を供給するために前記第一及び第四トランジスタへ結合されている第一電流源、
所定の電流を供給するために前記第二及び第三トランジスタへ結合されている第二電流源、
を有していることを特徴とするディスクドライブ装置。
【請求項２８】
請求項１５において、数百キロヘルツにおける低コーナー周波数と少なくとも約１ＧＨｚの高コーナー周波数を有していることを特徴とするディスクドライブ装置。
【請求項２９】
回路において、
一対の交差結合した差動増幅器回路を有しており、各差動増幅器回路がバイポーラトランジスタと、電界効果トランジスタと、前記バイポーラ及び電界効果トランジスタを介して通過する電流を吸い込むための電流シンクとを包含している、
ことを特徴とする回路。
【請求項３０】
請求項２９において、各差動増幅器回路に対して、前記バイポーラトランジスタのトランスコンダクタンスが前記電界効果トランジスタのトランスコンダクタンスと実質的に同一であることを特徴とする回路。
【請求項３１】
計算装置において、
処理要素、
読取ヘッドと、書込ヘッドと、前記読取ヘッドへ結合されている前置増幅器回路とを包含しているディスクドライブ装置、
を有しており、前記前置増幅器回路が、
一対の交差結合した差動増幅器回路を有しており、各差動増幅器回路がバイポーラトランジスタと、電界効果トランジスタと、前記バイポーラ及び電界効果トランジスタを介して通過する電流を吸い込むための電流シンクとを包含している、
ことを特徴とする計算装置。
【請求項３２】
請求項３１において、各差動増幅器回路に対して、前記バイポーラトランジスタのトランスコンダクタンスが前記電界効果トランジスタのトランスコンダクタンスと実質的に同一であることを特徴とする計算装置。
【発明の詳細な説明】
【技術分野】
【０００１】
本発明は信号増幅技術に関するものであって、更に詳細には、ディスクドライブ装置の読取ヘッドによって発生された信号を増幅する前置増幅器回路に関するものである。
【背景技術】
【０００２】
殆どのコンピュータシステムは１個又はそれ以上の関連するディスクドライブを包含しており、それはコンピュータシステムの内部又は外部に構築することが可能である。典型的に、ディスクドライブは少なくとも１個の回転する磁気媒体及び該磁気媒体に隣接して担持される関連するヘッドメカニズムを具備している。ヘッドは半径方向に移動可能であり、ディスク媒体上の精密な位置へ選択的に情報を書込み又はそれから情報を読取る。このようなディスクドライブは、例えば、ハードディスクドライブ、フロッピィディスクドライブ等とすることが可能である。
【０００３】
従来のディスクドライブ記録技術は「水平方向磁気記録」と呼ばれるものであり、その場合には、データは予め定めた同心状トラックにおいて磁気記録媒体の表面に沿って長手方向即ち水平方向に格納される。データは、磁気ディスク媒体上に格納されるべきデジタル情報に従って書込ヘッドへ一連の信号を印加することによって従来のデータディスクへ書込まれる。書込ヘッドはコイルとディスク媒体に近接して位置される１個又はそれ以上の関連するポールピースとを具備している。信号がヘッドにおいて磁束を変化させると、ディスクの表面に沿っての磁気媒体の磁気ドメインが爾後の読取動作のために所定の方向に整合される。典型的に、媒体表面に沿って長手方向即ち水平方向に配置された非整合磁気媒体の小さな空間が各磁気ドメイン遷移を分離し、磁気媒体上の相次ぐ遷移を互いに区別することを可能とする。
【０００４】
より最近になって、長手方向即ち水平方向の磁気記録を使用する場合に達成可能であると考えられるものを超えて磁気記録密度を拡張させるためのメカニズムとして垂直記録が話題に上っている。垂直磁気記録においては、媒体がその面に対して垂直方向に磁化される。垂直磁気記録システムは線形記録密度を増加させるためにディスク面に対して垂直な方向において磁気異方性を使用する。この垂直磁気記録システムの場合には、その面の方向における磁気異方性を使用する長手方向即ち水平方向磁気記録システムよりも顕著に高い密度における記録を実施することが可能である。何故ならば、垂直磁気記録システムにおいては、原理的に、磁化反転領域においての消磁磁界が非常に小さく、従って磁化遷移幅を狭いものとさせることを可能とするからである。
【０００５】
次世代のハードディスクドライブシステムは垂直磁気記録技術を使用する可能性がある。そうであるから、ディスクドライブシステムは数百キロヘルツ程度の低コーナー周波数（ＬＣＦ）と１ＧＨｚ程度に高い高コーナー周波数（ＨＣＦ）とを有する例えば前置増幅器などのディスクドライブ回路を必要とする蓋然性が高い。このような条件は、長手方向即ち水平方向記録において使用されている既存の前置増幅器のＬＣＦと比較して約５倍だけ低いＬＣＦを有する前置増幅器を必要とすることとなる。このＬＣＦの減少が必要である理由は、垂直記録の読み戻し信号が長手方向即ち水平方向記録と比較して著しく低い周波数成分を有しているからである（方形波状波形対長手方向即ち水平方向記録に対するローレンツ型パルス波形）。長手方向即ち水平方向記録システムにおける前置増幅器回路に対するＨＣＦ値のほぼ２倍である増加されたＨＣＦも、垂直記録に関連する増加されたデータレート条件に起因して必要とされる可能性がある。従って、垂直記録技術を使用する将来のディスクドライブにおいて効果的に機能するのに必要な動作特性を有する前置増幅器が必要とされている。
【発明の開示】
【発明が解決しようとする課題】
【０００６】
本発明は、以上の点に鑑みなされたものであって、上述した如き従来技術の欠点を解消し、ディスクドライブ装置用の改良した前置増幅器回路を提供することを目的とする。
【課題を解決するための手段】
【０００７】
本発明は、上述した従来のディスクドライブ前置増幅器回路の欠点を解消し且つ比較的広い動作周波数範囲を具備する前置増幅器回路に対する顕著な需要を満足させるものである。本発明の例示的実施例によれば、前置増幅器回路は一対の交差結合した差動増幅器回路を包含している。各差動増幅器回路は非対称差動対として構成することが可能である。換言すると、該差動対は、互いに異なるトランジスタ型のものである差動信号を受取る一対のトランジスタを包含することが可能である。
【０００８】
特に、該交差結合した対の各差動増幅器回路は、電界効果と該電界効果トランジスタのドレイン端子へ結合されているエミッタ端子を具備するバイポーラトランジスタを包含することが可能である。第一差動増幅器回路の電界効果トランジスタと第二差動増幅器回路のバイポーラトランジスタとが互いに結合されるように差動増幅器回路を交差結合することにより、前置増幅器回路は比較的低いＬＣＦ（電界効果トランジスタに起因して）且つ比較的高いＨＣＦ（バイポーラトランジスタに起因して）を有することが可能である。
【発明を実施するための最良の形態】
【０００９】
本発明を、本発明の例示的実施例を示した添付の図面を参照して以下に更に詳細に説明する。然しながら、本発明は、多くの異なる形態で実現することが可能なものであり、本明細書に記載した実施例に制限されるものとして解釈されるべきものではない。そうではなく、これらの実施例は、本開示が完全なものであり、当業者が完全に理解することが可能であることを旨として提供されるものである。
【００１０】
図１を参照すると、本発明に基づくディスクドライブ４０を包含するデータ格納情報処理及び／又はコンピュータシステム１のブロック図が示されている。ディスクドライブ４０は１個又はそれ以上のディスク４１の形態の格納媒体を包含しており、該ディスクの各々はその両側にデータを格納することが可能である。データは１個又はそれ以上の書込ヘッド４２を使用してディスク４１へ書き込まれ、且つ１個又はそれ以上の読取ヘッド４３によりそれから読取られる。各書込ヘッド４２及び読取ヘッド４３はアーム４４へ接続されており且つボイスコイルモータ（ＶＣＭ）４５及び位置決めシステム４６により位置制御される。位置決めシステム４６は、ＶＣＭ４５を介して、書込ヘッド４２及び読取ヘッド４３の位置を維持し及び／又はディスク４１上の所望のデータ上へ半径方向に移動させる。読取チャンネル４８は読取ヘッド４３からのアナログ読取信号をデジタル形態へ変換させる。書込チャンネル４９はディスク４１上に格納するために書込ヘッド４２へアナログ形態のデータを供給する。前置増幅器５０はディスク４１から読取られたデータ及びディスク４１へ書込まれるべきデータを適宜条件付けする。チャンネル制御器５１は読取チャンネル４８からのデジタルデータ及び書込チャンネル４９へ送られるべきデジタルデータを認識し且つデータのバイトで編成する。
【００１１】
インターフェースアダプタ５２はチャンネル制御器１１とホスト（データ格納、情報処理及び／又はコンピュータ）システム１に対して特定的な場合のあるシステムバス５３との間のインターフェースを与える。ホストシステム１は、又、典型的に、システムバス５３上で通信を行うその他の装置を有しており、例えば中央処理装置（ＣＰＵ）５４及び揮発性メモリ５５を包含している。スピンドルモータ（ＳＰＭ）５６及びＳＰＭ制御器回路５７がディスク４１を回転させ且つメモリアクセス動作（読取又は書込動作）を実施するためにディスク４１を適切な速度に維持する。ＳＰＭ制御回路５７は、図１に示したように、インターフェースアダプタ５２又は制御器５１と通信を行うことが可能である。ディスクドライブ４０は図１に示したもの以外の機能ブロックに分割及び／又は包含することが可能であり、且つ図１に例示した特定の機能ブロック実現例は本発明の例示的実施例として示したものである。
【００１２】
図２は本発明の例示的実施例に基づく前置増幅器５０の概略図を示している。前置増幅器５０は読取ヘッド４３へ結合されている一対の差動信号線ＨＲＸ及びＨＲＹ上に表われる差動信号を受取り、且つ差動信号線ＯＵＴＭ及びＯＵＴＰ上に表われる差動出力信号を発生することが可能である。
【００１３】
前置増幅器５０は一対の交差結合した作動増幅器回路２００を包含することが可能である。各差動増幅器回路２００は、差動信号線ＨＲＸ及びＨＲＹ上に表われる差動入力信号に対して夫々の制御端子において結合されている一対のトランジスタを具備する差動対として構成することが可能である。特に、差動増幅器回路２００ａは、差動入力信号線ＨＲＸへ結合した制御端子を具備するトランジスタ２０１、差動入力信号線ＨＲＹへ結合した制御端子を具備しているトランジスタ２０２、トランジスタ２０１，２０２と接地電圧との間に結合した電流シンク２０３を包含することが可能である。電流シンク２０３はトランジスタ２０１及び２０２を介して所定の電流レベルをシンク即ち吸い込むべく適合されている。
【００１４】
同様に、第二差動増幅器回路２００ｂは、差動入力信号線ＨＲＸへ結合している制御端子を具備しているトランジスタ２０４及び差動入力信号線ＨＲＹへ結合している制御端子を具備しているトランジスタ２０５を包含することが可能である。電流シンク２０６はトランジスタ２０４，２０５と接地との間に結合することが可能であり、且つトランジスタ２０４及び２０５を介して所定の電流レベルをシンク即ち吸い込むべく適合されている。
【００１５】
前置増幅器５０は電源電圧レベルＶｃｃとトランジスタ２０１及び２０４との間に結合されている抵抗等の負荷装置２０７及びＶｃｃとトランジスタ２０２及び２０５との間に結合されている抵抗等の負荷装置２０８を包含することが可能である。差動出力信号線ＯＵＴＭ及びＯＵＴＰは負荷装置２０７及び２０８へ接続することが可能である。
【００１６】
前置増幅器５０が低下されたＬＣＦ及び比較的高いＨＣＦを具備する改善された動作周波数範囲を有するために、各差動増幅器回路２００は異なる型のトランジスタを包含することによりハイブリッド回路及び／又は構造において非対称的である。特に、トランジスタ２０１はＭＯＳＦＥＴ等の電界効果トランジスタとすることが可能であり、且つトランジスタ２０２はバイポーラトランジスタとすることが可能である。同様に、トランジスタ２０４はバイポーラトランジスタとすることが可能であり、且つトランジスタ２０５はＭＯＳＦＥＴ等の電界効果トランジスタとすることが可能である。電界効果トランジスタ２０１及び２０５のトランスコンダクタンスがバイポーラトランジスタ２０２及び２０４のトランスコンダクタンスと実質的に等しい場合には、前置増幅器５０の最も低いノイズ及び最も高い利得を達成することが可能であることが判明した。
【００１７】
電界効果トランジスタはほぼ無限の入力抵抗を有しているので、トランジスタ２０１及び２０５は改善された低周波数性能を与える。前置増幅器５０は、バイポーラトランジスタで実現された前置増幅器のＬＣＦと比較してより低いＬＣＦを有するものと思われる。バイポーラトランジスタは電界効果トランジスタと比較してより優れた高周波数特性を有しているので、前置増幅器５０は電界効果トランジスタで実現した前置増幅器と比較してより高いＨＣＦを有するものと思われる。電界効果トランジスタの低周波数特性とバイポーラトランジスタの高周波数特性とを結合させることにより、前置増幅器５０は比較的低いＬＣＦと比較的高いＨＣＦの両方を有することになる。更に、前置増幅器５０はこのような態様で差動入力信号を受取るための２つのハイブリッド／非対称的差動対を包含しているので、その正味の効果は、前置増幅器５０が対称的な構造を有するものとなる。対称的な構造は、比較的良好な電源同相信号除去比を与える。
【００１８】
差動増幅器回路２００ａは、更に、差動入力信号線ＬＲＸとトランジスタ２０１の制御／ゲート端子との間に結合したカップリングコンデンサ２１０を包含することが可能である。同様に、差動増幅器回路２００ｂは、差動入力信号線ＨＲＹとトランジスタ２０５の制御／ゲート端子との間に結合したカップリングコンデンサ２１１を包含することが可能である。カップリングコンデンサ２１０及び２１１は、差動入力信号線ＨＲＸ及びＨＲＹへ供給されるＤＣバイアス電圧をブロックする。
【００１９】
前置増幅器５０は、更に、トランジスタ２０１及び２０５のゲート端子の動作電圧レベルを設定しそれにより電流シンク２０３及び２０６により吸い込まれる電流に対する電流分布を確立するためのバイアス回路２１５を包含することが可能である。図３を参照すると、バイアス回路２１５を包含する前置増幅器５０が示されている。バイアス回路２１５はそのドレインとゲート端子とを短絡され且つソース端子をトランジスタ２０１のソース端子及びトランジスタ２０２のエミッタへ結合させたトランジスタ２１６を包含することが可能である。トランジスタ２１６の寸法（幅）は、トランジスタ２０１の寸法（幅）と相対的にスケーリングさせることが可能である。このように、トランジスタ２１６及び２０１は、トランジスタ２１６を介して通過する電流がトランジスタ２１６がトランジスタ２０１と相対的にスケーリングされる量だけトランジスタ２０１を介して通過する電流に対して比例するようにカレントミラーを形成することが可能である。電流源２１７はトランジスタ２１６に対して所定の電流レベルを与えることが可能である。トランジスタ２０１を介して通過する電流がＩ２０１である場合には、トランジスタ２０２を介して通過する電流はＩ２０２であり、トランジスタ２１６はトランジスタ２０１に対してｋだけスケーリングされ、電流シンク２０３を介して通過する電流Ｉｓｉｎｋは、
Ｉｓｉｎｋ＝Ｉ２０１（１＋１／ｋ）＋Ｉ２０２
として表わされることを理解することが可能である。
【００２０】
バイアス回路２１５は、更に、そのドレインとゲート端子とを短絡させ且つソース端子をトランジスタ２０５のソース端子とトランジスタ２０４のエミッタとに結合したトランジスタ２２０を包含することが可能である。トランジスタ２２０の寸法（幅）はトランジスタ２０５の寸法（幅）と相対的にスケーリングさせることが可能である。このように、トランジスタ２２０及び２０５は、トランジスタ２２０を介して通過する電流が、トランジスタ２２０によってトランジスタ２０５と相対的にスケーリングされる量だけトランジスタ２０１を介して通過する電流に対して比例するようにカレントミラーを形成することが可能である。電流源２２１はトランジスタ２２０に対して所定の電流レベルを与えることが可能である。トランジスタ２０５を介して通過する電流がＩ２０５である場合には、トランジスタ２０４を介して通過する電流はＩ２０４であり、トランジスタ２２０はトランジスタ２０５に対してｋだけスケーリングされ、電流シンク２０６を介して通過する電流Ｉｓｉｎｋは、
Ｉｓｉｎｋ＝Ｉ２０５（１＋１／ｋ）＋Ｉ２０４
として表わされることを理解することが可能である。
【００２１】
前置増幅器５０は、更に、カスコードトランジスタ２２５及び２２６を包含することが可能である。トランジスタ２２５及び２２６はバイポーラトランジスタとすることが可能である。トランジスタ２２５は、負荷装置２０７へ結合されているコレクタ端子と、トランジスタ２０１のドレイン端子及びトランジスタ２０４のコレクタ端子へ結合されているエミッタ端子を有することが可能である。トランジスタ２２６は負荷装置２０８へ結合されているコレクタ端子と、トランジスタ２０５のドレイン端子及びトランジスタ２０２のコレクタ端子へ結合されているエミッタ端子とを有することが可能である。トランジスタ２２５及び２２６のベース端子は所定のバイアス電圧レベルＶｂｂへ結合させることが可能である。
【００２２】
前置増幅器５０は、更に、トランジスタ２０１のドレイン端子及びトランジスタ２０４のコレクタ端子へ結合されており且つトランジスタ２０１及び２０４へ供給される電流のソース部分へ電流を供給すべく適合されている電流源２３０を包含することが可能である。更に、電流源２３１はトランジスタ２０５のドレイン端子及びトランジスタ２０２のコレクタ端子へ結合させることが可能であり且つトランジスタ２０５及び２０２へ供給される電流のソース部分へ電流を供給すべく適合させることが可能である。このように、負荷装置２０７及び２０８の抵抗値（従って、差動増幅器回路２００の利得）を増加させることが可能である。
【００２３】
図４は図２及び３の前置増幅器回路の周波数応答を例示したシミュレーションプロットである。ＬＣＦ（約４８．７ＫＨｚ）及びＨＣＦ（約１．２５ＧＨｚ）の両方が、夫々、長手方向即ち水平方向記録装置において使用されている既存の前置増幅器回路において見られるものよりも夫々より低く且つより高いことが理解される。図５は図２及び３の前置増幅器回路の入力電圧（ＨＲＸ，ＨＲＹ）及び出力電圧（ＯＵＴＭ，ＯＵＴＰ）のシミュレーションプロットである。
【００２４】
以上、本発明の具体的実施の態様について詳細に説明したが、本発明は、これら具体例にのみ制限されるべきものではなく、本発明の技術的範囲を逸脱することなしに種々の変形が可能であることは勿論である。
【図面の簡単な説明】
【００２５】
【図１】本発明の例示的実施例に基づくクディスクドライブ装置を包含するシステムのブロック図。
【図２】本発明の１実施例に基づく図１の前置増幅器回路の概略図。
【図３】本発明の１実施例に基づく図１の前置増幅器回路の概略図。
【図４】図２及び３の前置増幅器回路の周波数応答を例示したプロット。
【図５】図２及び３の前置増幅器回路の入力−出力電圧波形を例示したプロット。
【符号の説明】
【００２６】
４０  ディスクドライブ
４１  ディスク
４２  書込ヘッド
４３  読取ヘッド
４４  アーム
４５  ボイスコイルモータ（ＶＣＭ）
４６  位置決めシステム
４８  読取チャンネル
４９  書込チャンネル
５２  インターフェースアダプタ
５３  システムバス
５４  中央処理装置（ＣＰＵ）
５５  揮発メモリ
５６  スピンドルモータ（ＳＰＭ）
５７  ＳＰＭ制御回路
【図１】
2004229300.tif 000003
【図２】
2004229300.tif 000004
【図３】
2004229300.tif 000005
【図４】
2004229300.tif 000006
【図５】
2004229300.tif 000007